【手続補正書】
【提出日】平成29年7月26日(2017.7.26)
【手続補正１】
【補正対象書類名】明細書
【補正対象項目名】０００６
【補正方法】変更
【補正の内容】
【０００６】
上述した課題を解決するために本発明の電子機器は、
表示画面上にタッチパネルを積層したタッチスクリーンを有する電子機器であって、
前記表示画面上に表示する情報を、複数のタッチ操作を促す情報から選択する選択手段と、
前記タッチスクリーンに前記選択されたタッチ操作を促す情報が表示されてから前記タッチパネルにタッチ操作が行われるまでの時間を計測する計測手段と、
前記計測手段により計測された時間と前記タッチ操作を促す情報の表示内容とに基づいて、前記タッチスクリーンに関する設定の制御を行う制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
表示画面上にタッチパネルを積層したタッチスクリーンを有する電子機器であって、
前記表示画面上に表示する情報を、複数のタッチ操作を促す情報から選択する選択手段と、
前記タッチスクリーンに前記選択されたタッチ操作を促す情報が表示されてから前記タッチパネルにタッチ操作が行われるまでの時間を計測する計測手段と、
前記計測手段により計測された時間と前記タッチ操作を促す情報の表示内容とに基づいて、前記タッチスクリーンに関する設定の制御を行う制御手段と、
を備えることを特徴とする電子機器。
【請求項２】
前記制御手段は、前記タッチスクリーンに関する設定内容の異なる複数の動作モードのうち、前記計測手段により計測された時間に基づいて、その１つの動作モードを選択することにより、前記タッチスクリーンに関する設定の制御を行う、
ことを特徴とする請求項１に記載の電子機器。
【請求項３】
前記複数の動作モードのうち、少なくともその１つはタッチ操作の応答性を優先する応答性優先モード、他の１つはタッチ操作の確実性を優先する確実性優先モードである、
ことを特徴とする請求項２に記載の電子機器。
【請求項４】
前記タッチ操作を促す情報毎に重み付けがされ、
前記制御手段は、前記複数の動作モードのうち、前記計測手段により計測された時間に加えて、前記タッチスクリーンに表示されている前記タッチ操作を促す情報の重み付けに基づいて、その１つの動作モードを選択する、
ことを特徴とする請求項２又は請求項３に記載の電子機器。
【請求項５】
前記制御手段は、前記タッチスクリーンに関する設定内容の異なる複数の動作モードの中からその１つを選択した後、所定の条件を満たすまでは前記動作モードの選択を行わない、
ことを特徴とする請求項２乃至４のいずれか１項に記載の電子機器。
【請求項６】
前記計測手段により時間が計測される毎にその計測時間を操作履歴として記憶する履歴記憶手段を更に備え、
前記制御手段は、前記履歴記憶手段に記憶されている複数の計測時間に基づいて、前記複数の動作モードのうち、その１つの動作モードを選択する、
ことを特徴とする請求項２に記載の電子機器。
【請求項７】
前記タッチ操作を促す情報毎に重み付けがされ、
前記履歴記憶手段は、前記計測手段により時間が計測される毎にその計測時間を操作履歴として記憶するほか、前記タッチスクリーンに表示されていた前記タッチ操作を促す情報の重み付けを更に記憶し、
前記制御手段は、前記履歴記憶手段に記憶されている複数の計測時間と複数の重み付けに基づいて、前記複数の動作モードのうち、その１つの動作モードを選択する、
ことを特徴とする請求項６に記載の電子機器。
【請求項８】
前記タッチ操作を促す情報毎の重み付けは、その情報に基づきタッチ操作により実行される処理内容を実行させるか否か、或いは複数の選択肢から選択することを、操作者が判断することのうち、少なくともそのいずれかの困難性を評価した値である、
ことを特徴とする請求項４又は請求項７に記載の電子機器。
【請求項９】
前記履歴記憶手段は、タッチ操作された際の操作環境が所定の条件を満たす場合に、前記計測手段により計測された時間を操作履歴として記憶する、
ことを特徴とする請求項６又は請求項７に記載の電子機器。
【請求項１０】
前記履歴記憶手段は、タッチ操作された際の周辺の明るさ環境が所定の明るさ範囲内であることを条件として、前記計測手段により計測された時間を操作履歴として記憶する、
ことを特徴とする請求項９に記載の電子機器。
【請求項１１】
前記履歴記憶手段は、タッチ操作された際の時間に関する環境が所定の時間帯内であることを条件として、前記計測手段により計測された時間を操作履歴として記憶する、
ことを特徴とする請求項９に記載の電子機器。
【請求項１２】
前記制御手段は、前記履歴記憶手段に記憶されている計測時間の数が所定数に達したことを条件として、前記動作モードの選択を行う、
ことを特徴とする請求項６乃至１１のいずれか１項に記載の電子機器。
【請求項１３】
前記制御手段は、前記タッチ操作を促す情報の表示に関する制御を行う表示制御手段を更に備え、前記表示制御手段がタッチ操作を促す情報の表示を制御することにより前記タッチスクリーンに関する設定の制御を行う、
ことを特徴とする請求項１乃至１２のいずれか１項に記載の電子機器。
【請求項１４】
前記タッチ操作を促す情報は、ソフトウェアキー又はアイコンを識別する情報であり、
前記表示制御手段は、前記ソフトウェアキー又はアイコンの大きさ又はその数を制御する、
ことを特徴とする請求項１３に記載の電子機器。
【請求項１５】
前記表示制御手段は、前記タッチ操作を促す情報の表示に応じたタッチ操作によりその処理内容が実行されるまでのタッチ操作の回数を制御する、
ことを特徴とする請求項１３又は請求項１４に記載の電子機器。
【請求項１６】
前記表示制御手段は、前記タッチ操作を促す情報であるタッチ操作の説明文を表示させるか否か、又はその文字量を制御する、
ことを特徴とする請求項１３乃至１５のいずれか１項に記載の電子機器。
【請求項１７】
前記表示制御手段は、前記タッチ操作を促す情報であるメッセージ又はアラートを表示する時間を制御する、
ことを特徴とする請求項１３乃至１５のいずれか１項に記載の電子機器。
【請求項１８】
前記表示制御手段は、前記タッチ操作を促す情報の表示に応じてタッチ操作が行われた際にそのタッチ操作により実行される処理内容を明示する表示を行うか否か、その表示する速度、その表示する時間のうち、少なくとも１つを制御する、
ことを特徴とする請求項１３乃至１５のいずれか１項に記載の電子機器。
【請求項１９】
前記制御手段は、前記タッチパネルの動作に関する制御を行うタッチ制御手段を更に備え、前記タッチ制御手段がタッチパネルの動作を制御することにより前記タッチスクリーンに関する設定の制御を行う
ことを特徴とする請求項１乃至１８いずれか１項に記載の電子機器。
【請求項２０】
前記タッチ制御手段は、前記タッチ操作の有無判別用のタッチ継続時間を制御する、
ことを特徴とする請求項１９に記載の電子機器。
【請求項２１】
前記タッチ制御手段は、前記タッチ操作の種類を判別するか否かの制御又はその種類の数の制御を行う、
ことを特徴とする請求項１９に記載の電子機器。
【請求項２２】
表示画面上にタッチパネルを積層したタッチスクリーンを有する電子機器であって、
前記タッチスクリーンに表示されるタッチ操作を促す情報が処理の実行を指示する場合に、その処理の種類を基にその処理を実行するか否かを操作者が判断することの困難性、或いは複数の選択肢の中からそのいずれかの選択肢を選択させることを指示する場合に、その選択を操作者が判断することの困難性を特定する特定手段と、
前記特定手段によって特定された判断の困難性に基づき、前記タッチスクリーンに関する設定の制御を行う制御手段と、
を備えることを特徴とする電子機器。
【請求項２３】
表示画面上にタッチパネルを積層したタッチスクリーンを有する電子機器におけるタッチスクリーン制御方法であって、
前記表示画面上に表示する情報を、複数のタッチ操作を促す情報から選択する選択処理と、
前記タッチスクリーンに前記選択されたタッチ操作を促す情報が表示されてから前記タッチパネルにタッチ操作が行われるまでの時間を計測する処理と、
前記計測された時間と前記タッチ操作を促す情報の表示内容とに基づいて、前記タッチスクリーンに関する設定の制御を行う処理と、
を含むことを特徴とするタッチスクリーン制御方法。
【請求項２４】
表示画面上にタッチパネルを積層したタッチスクリーンを有する電子機器のコンピュータに対して、
前記表示画面上に表示する情報を、複数のタッチ操作を促す情報から選択する選択機能と、
前記タッチスクリーンに前記選択されたタッチ操作を促す情報が表示されてから前記タッチパネルにタッチ操作が行われるまでの時間を計測する機能と、
前記計測された時間と前記タッチ操作を促す情報の表示内容とに基づいて、前記タッチスクリーンに関する設定の制御を行う機能と、
を実現させるためのプログラム。
【請求項２５】
表示画面上にタッチパネルを積層したタッチスクリーンを有する電子機器におけるタッチスクリーン制御方法であって、
前記タッチスクリーンに表示されるタッチ操作を促す情報が処理の実行を指示する場合に、その処理の種類を基にその処理を実行するか否かを操作者が判断することの困難性、或いは複数の選択肢の中からそのいずれかの選択肢を選択させることを指示する場合に、その選択を操作者が判断することの困難性を特定する処理と、
前記特定された判断の困難性に基づき、前記タッチスクリーンに関する設定の制御を行う処理と、
を含むことを特徴とするタッチスクリーン制御方法。
【請求項２６】
表示画面上にタッチパネルを積層したタッチスクリーンを有する電子機器のコンピュータに対して、
前記タッチスクリーンに表示されるタッチ操作を促す情報が処理の実行を指示する場合に、その処理の種類を基にその処理を実行するか否かを操作者が判断することの困難性、或いは複数の選択肢の中からそのいずれかの選択肢を選択させることを指示する場合に、その選択を操作者が判断することの困難性を特定する機能と、
前記特定された判断の困難性に基づき、前記タッチスクリーンに関する設定の制御を行う機能と、
を実現させるためのプログラム。